(57)【要約】【課題】本発明は、長さの調節が容易な電気手術装置に関する。【解決手段】本発明は、ワンタッチボタン操作方式で長さ調節部のロックを解除して、ブレードが位置した長さ調節部を本体に沿って容易に移動可能にし、これにより、全体の長さを容易に調節できるようにし、それにより、施術者が患者の切開された皮膚の内側にブレードを容易に挿入することができる効果がある。【選択図】図１
2019500189.tif 000002
【特許請求の範囲】
【請求項１】
長さ方向に沿って長く形成され、その内部の長さ方向に沿って空間部が形成される本体と、
一側は前記空間部に位置し、他側は前記空間部の上側に露出される操作部、前記空間部に位置し、前記操作部と電気的に接続される基板、及び前記空間部に沿って長く形成され、その上側は、前記基板と電気的に接続される接触部を有する操作部材と、
前記空間部に沿ってスライド可能に構成され、その上側の長さ方向に沿って複数の係止突起が形成される長さ調節部と、
前記本体に支持された状態で移動しながら、前記係止突起に係止されたり係止されないように位置するボタンストッパーと、
一側は前記長さ調節部に位置し、他側は前記接触部方向に延長される接触案内部と、
前記接触案内部の一側に結合された状態で前記長さ調節部の外側方向に延長されるブレードとを含み、
前記ボタンストッパーが前記係止突起に係止されないように位置し、前記長さ調節部が前記空間部に沿って移動するとき、前記接触案内部は、前記接触部と接触した状態で前記接触部に沿ってスライドして移動することを特徴とする長さ調節が容易な電気手術装置。
【請求項２】
前記ボタンストッパーは、前記本体の前記空間部に回転可能に配置される回転案内部と、前記回転案内部の一側から前記空間部の上側に露出されるように延長されるボタン部と、前記回転案内部の他側から前記係止突起に係止されるように延長して形成される係止部とを含み、
前記ボタン部に下方の圧力が加わると、前記係止部が上部に移動して前記係止突起に係止されないように構成され、前記ボタン部に上方の圧力が加わると、前記係止部が下部に移動して前記係止突起に係止されるように構成されることを特徴とする請求項１に記載の長さ調節が容易な電気手術装置。
【請求項３】
前記空間部の前記ボタン部の下側と向き合う位置に支持された状態で前記ボタン部に上方の圧力を加える弾性部をさらに含むことを特徴とする請求項２に記載の長さ調節が容易な電気手術装置。
【請求項４】
前記空間部の前記係止部の上側と向き合う位置に支持された状態で前記係止部に下方の圧力を加え、前記ボタン部に上方の圧力が加わるようにする弾性部をさらに含むことを特徴とする請求項２に記載の長さの調節が容易な電気手術装置。
【請求項５】
前記弾性部は、板ばね、コイルばね、及びゴムの中から選択されるいずれか１つを含むことを特徴とする請求項３または請求項４に記載の長さ調節が容易な電気手術装置。
【請求項６】
前記係止部には、上方に第１の案内部が突出して形成され、
前記本体内側の前記第１の案内部と対向する位置に第２の案内部が形成され、
前記第１の案内部と前記第２の案内部との間に前記弾性部が位置することを特徴とする請求項３に記載の長さ調節が容易な電気手術装置。
【請求項７】
前記空間部は、その内部の長さ方向に沿って長く形成される上板部を基準にして前記上板部の上部に位置する第１の収容部と、前記上板部の下部に位置しその長さ方向の前方と後方が開放される第２の収容部とを含み、
前記操作部材の前記操作部と前記基板は前記第１の収容部に位置し、前記操作部材の前記接触部は前記第２の収容部に沿って長く形成され、その上側は前記上板部を貫通して前記基板と電気的に接続され、
前記長さ調節部は、前記第２の収容部の前記接触部の下部に位置し、第２の収容部の前方に突出するように移動したり、または前記第２の収容部の内部に移動可能に構成され、その内部の長さ方向に沿って吸引通路が形成され、 
前記接触案内部の一側は前記吸引通路に位置し、前記接触案内部の他側は前記吸引通路を通って前記接触部方向に延長され、
前記ボタンストッパーは、前記上板部に回転可能に支持され、その一側は前記本体の外部に露出され、その他側は前記上板部を貫通して前記係止突起に係止されたり係止されないように位置し、
前記ブレードは、前記接触案内部の一側に結合された状態で前記吸引通路の外側に延長されることを特徴とする請求項１に記載の長さ調節が容易な電気手術装置。
【請求項８】
前記接触案内部の前側は前記ブレードが位置する前記吸引通路の前側方向に延長され、前記接触案内部の後側は前記吸引通路の後側方向に延長され、前記接触案内部の後側には前記接触部方向に折り曲げれるように接触端子が形成され、
前記接触端子は、前記接触部と接触するように構成され、前記接触部に印加された電源が、前記接触案内部と接続された前記ブレードに伝達されることを特徴とする請求項７に記載の長さ調節が容易な電気手術装置。
【請求項９】
前記長さ調節部の前記接触端子が位置する後側に、その前側方向に切開される切開案内部が形成され、前記切開案内部に前記接触端子が案内されることを特徴とする請求項８に記載の長さ調節が容易な電気手術装置。
【請求項１０】
前記吸引通路の前記ブレードと対向する前側には連結案内部が挿入され、
前記連結案内部の一側に前記ブレードが嵌挿され、前記連結案内部の他側に前記接触案内部が嵌挿され、前記ブレードと前記接触案内部とは電気的に接続されることを特徴とする請求項７に記載の長さ調節が容易な電気手術装置。
【発明の詳細な説明】
【技術分野】
【０００１】
本発明は、長さの調節が容易な電気手術装置に関し、より詳しくは、ワンタッチボタン操作方式でブレードが位置した長さ調節部を本体に沿って容易に移動可能にして全体の長さを容易に調節できるようにした長さ調節が容易な電気手術装置に関する。
【背景技術】
【０００２】
一般的に、電気手術装置（Ｅｌｅｃｔｒｏｓｕｒｇｉｃａｌ Ｕｎｉｔ、ＥＳＵ）は、主に外科的な手術で手術用メスの代わりに、電気を利用して人体の組織の一部を切開することや、組織や血液を凝固させるために使用する代表的な医療機器である。
【０００３】
このような電気手術装置は、高周波電流が人体を貫通して流れるとき、筋肉に電気ショックや刺激を与えずに、短いスパークや熱を発生させる原理を利用するものであり、目的の生体組織を１００℃程度の高周波エネルギーで切開（Ｃｕｔｔｉｎｇ）、または６０℃程度の高周波エネルギーで凝固（Ｃｏａｇｕｌａｔｉｏｎ）させる。
【０００４】
しかしながら、このような従来の電気手術装置は、その全体の長さの調節ができないので、施術の位置などに応じて人体の深いところにブレードを入れる場合、または人体の表面でブレードを用いる場合などによって、ブレードの長さが互いに異なる複数の電気手術装置を備えなければならないという問題点がある。
【発明の概要】
【発明が解決しようとする課題】
【０００５】
上記のような従来技術の問題点を解決するための本発明の目的は、ワンタッチボタン操作方式でブレードが位置した長さ調節部を本体に沿って容易に移動可能にして全体の長さを容易に調節できるようにした長さ調節が容易な電気手術装置を提供することにある。
【課題を解決するための手段】
【０００６】
上記の目的を達成するために、本発明は、長さ方向に沿って長く形成され、その内部の長さ方向に沿って空間部が形成される本体と、一側は前記空間部に位置し、他側は前記空間部の上側に露出される操作部、前記空間部に位置し、前記操作部と電気的に接続される基板、及び前記空間部に沿って長く形成され、その上側は、前記基板と電気的に接続される接触部を有する操作部材と、前記空間部に沿ってスライド可能に構成され、その上側の長さ方向に沿って複数の係止突起が形成される長さ調節部と、前記本体に支持された状態で移動しながら、前記係止突起に係止されたり係止されないように位置するボタンストッパーと、一側は前記長さ調節部に位置し、他側は前記接触部方向に延長される接触案内部と、前記接触案内部の一側に結合された状態で前記長さ調節部の外側方向に延長されるブレードとを含み、前記ボタンストッパーが前記係止突起に係止されないように位置し、前記長さ調節部が前記空間部に沿って移動するとき、前記接触案内部は、前記接触部と接触した状態で前記接触部に沿ってスライドして移動することを特徴とする長さ調節が容易な電気手術装置を提供する。
【０００７】
また、前記ボタンストッパーは、前記本体の前記空間部に回転可能に配置される回転案内部と、前記回転案内部の一側から前記空間部の上側に露出されるように延長されるボタン部と、前記回転案内部の他側から前記係止突起に係止されるように延長して形成される係止部とを含み、前記ボタン部に下方の圧力が加わると、前記係止部が上部に移動して前記係止突起に係止されないように構成され、前記ボタン部に上方の圧力が加わると、前記係止部が下部に移動して前記係止突起に係止されるように構成されることを特徴とする長さ調節が容易な電気手術装置を提供する。
【０００８】
また、前記空間部の前記ボタン部の下側と向き合う位置に支持された状態で前記ボタン部に上方の圧力を加える弾性部をさらに含むことを特徴とする長さ調節が容易な電気手術装置を提供する。
【０００９】
また、前記空間部の前記係止部の上側と向き合う位置に支持された状態で前記係止部に下方の圧力を加え、前記ボタン部に上方の圧力が加わるようにする弾性部をさらに含むことを特徴とする長さ調節が容易な電気手術装置を提供する。
【００１０】
また、前記弾性部は、板ばね、コイルばね、及びゴムの中から選択されるいずれか１つを含むことを特徴とする長さ調節が容易な電気手術装置を提供する。
【００１１】
また、前記係止部には、上方に第１の案内部が突出して形成され、前記本体内側の前記第１の案内部と対向する位置に第２の案内部が形成され、前記第１の案内部と前記第２の案内部との間に前記弾性部が位置することを特徴とする長さ調節が容易な電気手術装置を提供する。
【００１２】
また、前記空間部は、その内部の長さ方向に沿って長く形成される上板部を基準にして、前記上板部の上部に位置する第１の収容部と前記上板部の下部に位置し、その長さ方向の前方と後方が開放される第２の収容部とを含み、前記操作部材の前記操作部と前記基板は前記第１の収容部に位置し、前記操作部材の前記接触部は前記第２の収容部に沿って長く形成され、その上側は前記上板部を貫通して前記基板と電気的に接続され、前記長さ調節部は前記第２の収容部の前記接触部の下部に位置し、第２の収容部の前方に突出するように移動したり、または前記第２の収容部の内部に移動可能に構成され、その内部の長さ方向に沿って吸引通路が形成され、前記接触案内部の一側は前記吸引通路に位置し、前記接触案内部の他側は前記吸引通路を通って前記接触部方向に延長され、前記ボタンストッパーは前記上板部に回転可能に支持され、その一側は前記本体の外部に露出され、その他側は前記上板部を貫通して前記係止突起に係止されたり係止されないように位置し、前記ブレードは前記接触案内部の一側に結合された状態で前記吸引通路の外側に延長されることを特徴とする長さ調節が容易な電気手術装置を提供する。
【００１３】
また、前記接触案内部の前側は、前記ブレードが位置する前記吸引通路の前側方向に延長され、前記接触案内部の後側は前記吸引通路の後側方向に延長され、前記接触案内部の後側には前記接触部方向に折り曲げられるように接触端子が形成され、前記接触端子は前記接触部と接触するように構成され、前記接触部に印加された電源が前記接触案内部と接続された前記ブレードに伝達されることを特徴とする長さ調節が容易な電気手術装置を提供する。
【００１４】
また、前記長さ調節部の前記接触端子が位置する後側に、その前側方向に切開される切開案内部が形成され、前記切開案内部に前記接触端子が案内されることを特徴とする長さ調節が容易な電気手術装置を提供する。
【００１５】
また、前記吸引通路の前記ブレードと対向する前側には連結案内部が挿入され、前記連結案内部の一側に前記ブレードが嵌挿され、前記連結案内部の他側に前記接触案内部が嵌挿され、前記ブレードと前記接触案内部とは電気的に接続されることを特徴とする長さ調節が容易な電気手術装置を提供する。
【発明の効果】
【００１６】
本発明は、ボタン部を下部に一度加圧するワンタッチボタン操作方式で長さ調節部のロックを解除して、ブレードが位置した長さ調節部を本体に沿って容易に移動可能にし、これにより、全体の長さを容易に調節できるようにし、それにより、施術者が患者の切開された皮膚の内側にブレードを容易に挿入することができる効果がある。
【００１７】
また、長さ調節部のロックが解除されて全体の長さが調節されると、弾性部がボタン部に上方の圧力を加え、長さ調節部のロックが自動的に行われるので、複雑な施術環境下で施術者が別途に長さ調節部をロックしなくてもよい効果がある。
【図面の簡単な説明】
【００１８】
【図１】本発明の望ましい実施例に係る長さ調節が容易な電気手術装置を概略的に示す図である。
【図２】本発明の望ましい実施例に係る長さ調節が容易な電気手術装置を分解して示す図である。
【図３】本発明の望ましい実施例に係る長さ調節が容易な電気手術装置の断面を概略的に示す図である。
【図４】本発明の望ましい実施例に係る長さ調節が容易な電気手術装置のボタンストッパーと弾性部とが本体に結合される状態を説明するために示す図である。
【図５】本発明の望ましい実施例に係る長さ調節が容易な電気手術装置のボタンストッパーと弾性部とが本体に結合される状態を示す断面図である。
【図６】本発明の望ましい実施例に係る長さ調節が容易な電気手術装置のボタンストッパーと弾性部とが本体に結合される状態の他の例を説明するために示す図である。
【図７】本発明の望ましい実施例に係る長さ調節が容易な電気手術装置の接触部と接触案内部とが相互接触された状態を説明するために示す図である。
【図８】本発明の望ましい実施例に係る長さ調節が容易な電気手術装置の長さ調節部が前方に移動する状態を説明するために示す図である。
【図９】本発明の望ましい実施例に係る長さ調節が容易な電気手術装置の長さ調節部の位置に応じて皮膚組織に挿入される深さの差を説明するために概略的に示す図である。
【図１０】本発明の望ましい実施例に係る長さ調節が容易な電気手術装置の長さ調節部の位置に応じて皮膚組織に挿入される深さの差を説明するために概略的に示す図である。
【発明を実施するための形態】
【００１９】
以下、添付の図面を参照して、本発明の望ましい実施例に係る長さ調節が容易な電気手術装置をさらに詳しく説明するが、本発明は、これらの実施例に限定されるものではない。
【００２０】
図１は、本発明の望ましい実施例に係る長さ調節が容易な電気手術装置を概略的に示す図である。
【００２１】
図１を参照すると、本発明の望ましい実施例に係る長さ調節が容易な電気手術装置５０は、医師などの手術者が患者の体の組織の一部を切開したり、凝固させるときに使用するものであり、本体１００、操作部材２００（図２に図示）、長さ調節部３００、ボタンストッパー４００、接触案内部５００（図２に図示）及びブレード６００を含む。そして、別の説明がない限り、ユーザーが手で本体１００を把持した後、ブレード６００を用いて患者の体の組織を切開または凝固させるとき、体の組織に近く位置する方向を前方とし、その反対方向を後方とする。以下、図２及び図３を参照してこれらの細部構成を説明する。
【００２２】
図２は、本発明の望ましい実施例に係る長さ調節が容易な電気手術装置を分解して示す図であり、図３は、本発明の望ましい実施例に係る長さ調節が容易な電気手術装置の断面を概略に示す図である。
【００２３】
図２及び図３を参照すると、本体１００は、ユーザーが手で把持するものであり、長さ方向に沿って長く形成され、その内部の長さ方向に沿って空間部が形成される。このような本体１００は、例えば、長さ方向に沿って長く形成される下部本体１２０と、前記下部本体１２０の上部を覆うように結合される上部本体１１０とを含むことができる。場合によって、上部本体１１０と下部本体１２０とは、相互一体に形成することもできる。そして、前記空間部は、下部本体１２０の上側に位置する上板部１２２を基準にして、前記上板部１２２と上部本体１１０との間に位置する第１の収容部１１０ａ及び前記上板部１２２の下部、すなわち、下部本体１２０の内部に沿って位置する第２の収容部１２０ａを含むことができる。第２の収容部１２０ａは、その長さ方向の前方と後方がそれぞれ開放されるように構成することができる。
【００２４】
操作部材２００は、操作部２１０、基板２２０及び接触部２３０を含む。操作部２１０は、例えば、１つ以上のボタンまたはタッチパネルなどであり、前記第１の収容部１１０ａの前方から後方に少し離隔された位置に備えられ、その上側は、第１の収容部１１０ａの上側に露出される。この際、上部本体１１０の操作部２１０と対向する位置には、操作孔１１１が貫通して形成され、操作部２１０が前記操作孔１１１に挿入された状態で外部に露出される。基板２２０は、例えば、ＰＣＢ（Ｐｒｉｎｔｅｄ Ｃｉｒｃｕｉｔ Ｂｏａｒｄ）などで構成され、操作部２１０と対向するように第１の収容部１１０ａに位置して操作部２１０と電気的に接続される。そして、操作部２１０の操作により、基板２２０は、外部から伝達された高周波エネルギーの量を調節した後、これを後述するブレード６００に伝達する。接触部２３０は、通電材料で形成され、下部本体１２０の第２の収容部１２０ａの上側に沿ってその後方に長く形成され、その上側は、第２の収容部１２０ａの上側に位置する上板部１２２を貫通して基板２２０と電気的に接続されるように接触突起２３２が突出して形成される。この際、上板部１２２の接触突起２３２と対向する位置には、突起挿入孔１２２ａが貫通して形成され、接触突起２３２が突起挿入孔１２２ａに挿入された状態で基板２２０と電気的に接続される。
【００２５】
長さ調節部３００は、第２の収容部１２０ａに挿入され、第２の収容部１２０ａの上側に位置した接触部２３０の下側に位置する。このような長さ調節部３００は、第２の収容部１２０ａの長さ方向に沿って移動可能に構成され、その内部の長さ方向に沿って吸引通路３００ａが形成され、第１の収容部１１０ａと対向する上側の長さ方向に沿ってその前方から後方方向に複数の係止突起３０２が形成される。そして、長さ調節部３００の吸引通路３００ａの前方には、連結案内部３１０をさらに備えることができ、長さ調節部３００の吸引通路３００ａの後部は、第２の収容部１２０ａの後方よりも内側に位置することができる。連結案内部３１０は、円筒形状に形成され、その後方に両端部が開放された連結部３１２が形成される。そして、第２の収容部１２０ａの後方には、空気を吸引するためのスモーク吸引器（Ｓｍｏｋｅ Ｅｖａｃｕａｔｏｒ）などを備える吸引手段（図示せず）が連結され、ユーザーがブレード６００を使用して患者の体の組織の一部を切開または凝固させるとき、ブレード６００の周辺に広がる煙が吸引通路３００ａと第２の収容部１２０ａに容易に吸引されるように構成される。
【００２６】
ボタンストッパー４００及び弾性部４５０は、長さ調節部３００の移動を制限するものであり、下記図４を参照して説明する。
【００２７】
接触案内部５００は、通電材料で形成され、吸引通路３００ａの長さ方向に沿って長く形成され、その長さ方向の前方には、刃接続部５０２が形成され、その長さ方向の後方には、吸引通路３００ａを通って接触部２３０方向に折り曲げられるように接触端子５０４が延長される。刃接続部５０２は、連結案内部３１０の連結部３１２の後方に挿入して固定される。
【００２８】
ブレード６００は、長さ方向に沿って長く形成され、一端部は、連結案内部３１０の連結部３１２の前方に挿入されて接触案内部５００の刃接続部５０２と電気的に接続され、他端は、吸引通路３００ａの前方方向に延長して形成される。そして、外部から基板２２０に伝送された高周波エネルギーは、接触部２３０と接触案内部５００を通ってブレード６００に伝達され、前記高周波エネルギーを用いて患者の体の組織の一部を切開したり凝固させる。
【００２９】
図４は、本発明の望ましい実施例に係る長さ調節が容易な電気手術装置のボタンストッパーと弾性部とが本体に結合される状態を説明するために示す図であり、図５は、本発明の望ましい実施例による長さの調節が容易な電気手術装置のボタンストッパーと弾性部とが本体に結合される状態を示す断面図である。
【００３０】
図４及び図５を参照すると、ボタンストッパー４００は、本体１００に支持された状態で回転されながら、係止突起３０２に係止されたり係止されないように位置するものであり、下部本体１２０の上板部１２２に回転可能に配置される回転案内部４０２と、回転案内部４０２の長さ方向の前方から係止突起３０２に係止されるように延長して形成される係止部４０４と、回転案内部４０２の長さ方向の後方から上側に露出されるように延長されるボタン形状などのボタン部４０６とを含む。そして、係止部４０４には、その上方に第１の案内部４０５が突出して形成され、前記第１の案内部４０５と対向する上部本体１１０の内側には、第２の案内部１１４が突出して形成される。第２の案内部１１４は環状に形成される。そして、第１の案内部４０５と第２の案内部１１４との間に後述する弾性部４５０が挿入される。
【００３１】
弾性部４５０は、ボタンストッパー４００の係止部４０４を下部方向に弾性力を加えてボタン部４０６を上部方向に加圧するものであり、板ばね、コイルばね、及びゴムなどを含むことができる。このような弾性部４５０は、第１の案内部４０５と第２の案内部１１４との間に嵌め込まれるように構成され、第１の案内部４０５に支持された状態で第２の案内部１１４と接続された係止部４０４を下方に加圧する。
【００３２】
そして、上部本体１１０のボタン部４０６と対応する位置には、ボタン孔１１２が貫通して形成されボタン部４０６がボタン孔１１２に挿入された状態で外部に露出される。また、下部本体１２０の上板部１２２のボタンストッパー４００と対応する位置には、ボタン案内部１２４が形成される。ボタン案内部１２４は、回転案内部４０２が回転して結合される回転結合部１２４ａと、回転結合部１２４ａの前方に貫通して形成され係止部４０４が下部本体１２０の第２の収容部１２０ａに挿入されるようにする係止案内部１２４ｂと、回転結合部１２４ａの後方に貫通して形成され回転案内部４０２の後部が第２の収容部１２０ａに挿入されるようにする下方案内部１２４ｃとを含む。そして、ボタン部４０６に下方の圧力が加わると、前記係止部４０４が上部に移動して前記係止突起３０２に係止されないように構成され、前記ボタン部４０６に上方の圧力が加わると、前記係止部４０４が下部に移動して前記係止突起３０２に係止されるように構成される。そして、ボタンストッパー４００の係止部４０４が係止突起３０２で係止位置になると、長さ調節部３００がロックされて長さ調節部３００の移動が制限される。
【００３３】
このようにボタン部４０６に下方の圧力が加わると、係止部４０４が係止突起３０２に係止されなくなり、長さ調節部３００のロックが解除され、長さ調節部３００のロックが解除されると、長さ調節部３００が下部本体１２０に沿って移動し、全体の長さが調節される。そして、全体の長さが調節されると、弾性部４５０がボタン部４０６に上方の圧力を加え、長さ調節部３００のロックが自動的に行われるので、複雑な施術環境下で施術者が別途に長さ調節部３００をロックしなくてもよい効果がある。
【００３４】
図６は、本発明の望ましい実施例に係る長さ調節が容易な電気手術装置のボタンストッパーと弾性部とが本体に結合される状態の他の例を説明するために示す図である。
【００３５】
図６を参照すると、弾性部４６０は、ボタン部４０６の下部に位置することもできる。この場合、弾性部４６０は、ボタン部４０６の下部に位置する上板部１２２に支持された状態でボタン部４０６に上方の圧力が加わるようにする。このような弾性部４６０は、板ばね、コイルばね、及びゴムなどを含むことができる。
【００３６】
図７は、本発明の望ましい実施例に係る長さ調節が容易な電気手術装置の接触部と接触案内部とが相互接触された状態を説明するために示す図である。
【００３７】
図７を参照すると、長さ調節部３００の長さ方向の後側には、長さ調節部３００の前側方向に切開されるように切開案内部３０４が長く形成される。そして、接触部２３０は、切開案内部３０４の上部を覆うように長く延長される。そして、接触案内部５００の接触端子５０４は、切開案内部３０４方向に折り曲げられるように形成され、接触端子５０４は、切開案内部３０４を介して接触部２３０と接触されるように構成される。
【００３８】
この状態で、長さ調節部３００が前方または後方に移動すると、長さ調節部３００と連結された接触案内部５００の接触端子５０４も前方または後方に移動し、この際、接触端子５０４は、長さ調節部３００の上部に位置する接触部２３０と接触された状態で前方または後方に移動する。
【００３９】
これにより、基板２２０に伝送された高周波エネルギーは、接触部２３０と接触案内部５００を通って後述するブレード６００に容易に伝達される。
【００４０】
図８は、本発明の望ましい実施例に係る長さ調節が容易な電気手術装置の長さ調節部が前方に移動する状態を説明するために示す図である。
【００４１】
図８を参照すると、長さの調節が容易な電気手術装置５０は、ボタンストッパー４００のボタン部４０６を下部に加圧すると、ボタンストッパー４００の係止部４０４が上部に移動して長さ調節部３００のロックが解除され、この際、長さ調節部３００は、第２の収容部１２０ａに沿って前方または後方に移動しながら、全体の長さが容易に調節される効果がある。
【００４２】
図９と図１０は、本発明の望ましい実施例に係る長さ調節が容易な電気手術装置の長さ調節部の位置に応じて皮膚組織に挿入される深さの差を説明するために概略的に示す図である。
【００４３】
先ず、図９を参照すると、施術者が本体１００を把持した状態で切開された皮膚（S）の内側にブレード６００を挿入する。この際、長さ調節部３００は、後方に移動された状態であるため、本体１００の長さ及びブレード６００の長さが短すぎ、ブレード６００を切開した皮膚（S）の深いところに位置させることができない。
【００４４】
次に、図１０を参照すると、施術者が本体１００を把持した状態で、ボタンストッパー４００のボタン部４０６を下部に加圧して長さ調節部３００を第２の収容部１２０ａに沿って前方に移動させる。この際、施術者は、長さ調節部３００を手で握った状態で前方に移動させる。すると、ブレード６００が長さ調節部３００に沿って前方に移動される。続いて、施術者がボタンストッパー４００のボタン部４０６から手を離すと、ボタンストッパー４００の係止部４０４が長さ調節部３００の係止突起３０２に係止されるようになり、長さ調節部３００が自動的にロックされる。
【００４５】
このように、本発明は、ボタン部４０６を下部に一度加圧するワンタッチボタン操作方式で長さ調節部３００のロックを解除して、ブレード６００の位置した長さ調節部３００が本体１００を沿って容易に移動可能にし、これにより、全体の長さを容易に調節できるようにし、それで、施術者が患者の切開された皮膚の内側にブレード６００を容易に挿入することができる効果がある。
【符号の説明】
【００４６】
５０      電気手術装置            １００      本体
１１０    上部本体                １１０ａ    第１の収容部
１１１    操作孔                  １１２      ボタン孔
１１４    第２の案内部            １２０      下部本体
１２０ａ  第２の収容部            １２２      上板部
１２２ａ  突起挿入孔              １２４      ボタン案内部
１２４ａ  回転結合部              １２４ｂ    係止案内部
１２４ｃ  下方案内部              ２００      操作部材
２１０    操作部                  ２２０      基板
２３０    接触部                  ２３２      接触突起
３００    長さ調節部              ３００ａ    吸引通路
３０２    係止突起                ３０４      切開案内部
３１０    連結案内部              ３１２      連結部
４００    ボタンストッパー        ４０２      回転案内部
４０４    係止部                  ４０５      第１の案内部
４０６    ボタン部                ４５０、４６０  弾性部
５００    接触案内部              ５０２      刃接続部
５０４    接触端子                ６００      ブレード
【図１】
2019500189.tif 000003
【図２】
2019500189.tif 000004
【図３】
2019500189.tif 000005
【図４】
2019500189.tif 000006
【図５】
2019500189.tif 000007
【図６】
2019500189.tif 000008
【図７】
2019500189.tif 000009
【図８】
2019500189.tif 000010
【図９】
2019500189.tif 000011
【図１０】
2019500189.tif 000012
【国際調査報告】
2019500189.tif 000013
2019500189.tif 000014
2019500189.tif 000015
2019500189.tif 000016